(57)【要約】【課題】日付などの時や地名などの場所の情報を文字画像として被写体に対して正常な方向で、クリアーにプリントするコンパクトなカメラなどに使用できる傾斜センサーを提供すること。【解決手段】本発明の傾斜センサーは個々に絶縁されている複数の導電部２６を有する区分導電筐体２４と共通導電筐体２３と複数の抵抗体２２とを備え、複数の導電部２６と共通導電筐体２３とが向き合うように、共通導電筐体２３と区分導電筐体２４を配置し、共通導電筐体２３と区分導電筐体２４との間の空間に、可動な可動導電体である導電球２５を配置し、それぞれの抵抗体を介するか否かによって、出力部２１より異なる電圧値が出力されることを特徴とする。【選択図】図１
2008076376.tif 000002
【特許請求の範囲】
【請求項１】
個々に絶縁されている複数の導電部を有する区分導電筐体と共通導電筐体と複数の抵抗体とを備え、前記複数の導電部と前記共通導電筐体とが向き合うように、前記共通導電筐体と前記区分導電筐体を配置し、前記共通導電筐体と前記区分導電筐体との間の空間に、可動な可動導電体を配置し、
前記共通導電筐体には、前記複数の抵抗体のうち、一つの抵抗体を介して第１の電圧を印加する手段と、出力電圧が出力される出力部とを有し、
前記区分導電筐体におけるそれぞれの前記導電部は、全く電圧が印加されない形態、前記複数の抵抗体のうち、少なくとも一つの抵抗体を介して第２の電圧が印加される形態、または前記第２の電圧値が直接印加される形態のいずれかの形態を有し、
前記可動導電体が、前記複数の導電部と前記共通導電筐体との間を各々に接しながら移動して、前記複数の導電部のうち、いずれか一つの前記導電部と前記共通導電筐体とを電気的に接続し、接続された前記区分導電筐体における前記導電部の前記形態に対応して前記出力部より異なる電圧値が出力されることを特徴とする傾斜センサー。
【請求項２】
前記可動導電体は球状の導電球であることを特徴とする請求項１に記載の傾斜センサー。
【請求項３】
前記いずれか一つの前記導電部と前記共通導電筐体とが電気的に接続している時に、前記導電球と前記共通導電筐体とが接する面は平面であることを特徴とする請求項２に記載の傾斜センサー。
【請求項４】
前記導電球は複数個で構成されることを特徴とする請求項２に記載の傾斜センサー。
【請求項５】
前記導電球が前記共通導電筐体および前記区分導電筐体に接する部位は重力方向に対して導電球の下半球であることを特徴とする請求項２に記載の傾斜センサー。
【請求項６】
前記複数の抵抗体に流れる電流は何れも１ｍA以下であることを特徴とする請求項１に記載の傾斜センサー。
【請求項７】
前記共通導電筐体は電気的に直接接続する１本のリード端子を備え、前記区分導電筐体における前記複数の導電部は、各々電気的に直接接続するリード端子を備え、全ての前記リード端子が略同一平面上に接地することを特徴とする請求項１に記載の傾斜センサー。
【請求項８】
前記区分導電筐体は、前記導電部が配置された面と反対側の面に前記導電部へ電圧を印加するための外側電極を複数備え、前記外側電極と前記導電部とは電気的に接続されていることを特徴とする請求項１に記載の傾斜センサー。
【請求項９】
前記外側電極と前記導電部とは、前記区分導電筐体に形成されたスルーホールによって電気的に接続されていることを特徴とする請求項７に記載の傾斜センサー。
【請求項１０】
共通導電筐体の少なくとも１部の形状がピン形状であり、区分導電筐体に形成されたスルーホールに前記共通導電筐体のピン形状部が挿入され電気的接続がされていることを特徴とする請求項９に記載の傾斜センサー。
【請求項１１】
前記導電体と、前記共通導電筐体と、前記導電部の表面とのいずれかが金メッキ処理されていることを特徴とする請求項１に記載の傾斜センサー。
【請求項１２】
請求項１に記載の傾斜センサーを用いたカメラ。
【発明の詳細な説明】
【技術分野】
【０００１】
本発明は、重力によって傾斜度合いを測定することが出来る傾斜センサーに係わるものであり、例えばその傾斜センサーを用いたカメラに関するものである。特に撮ったその場で現像プリントされるインスタントカメラや、日付などの時や地名などの場所の情報を文字画像として写真画像に付加する写真システムに関わるものである。
【背景技術】
【０００２】
従来、撮影時の日付や時刻をプリントするカメラは市場にリリースされているが、日付や時間などの文字をプリントする露光部が固定されているため、カメラの撮影方向によっては、人、建物、風景などの被写体に対して文字が９０度異なる位置にプリントされ不自然な画像となったり、文字がはっきり見えなかったりなどの欠点があった。
【０００３】
一方、特開平７−１３２５４号公報には、文字露光部をカメラの上下、左右の４種の方向に配置させ、前記４方向の文字露光部をカメラの撮影時に、カメラの傾 斜方向によって１方向の文字露光部のみを選択書き込みをし、被写体に対して文字が正常な方向でプリントされる日付撮影機能付きカメラの技術が開示されている。
【特許文献１】特開平７−１３２５４号公報（第２頁、第２図）
【発明の開示】
【発明が解決しようとする課題】
【０００４】
しかしながら、文字露光部をカメラの上下、左右の４種の方向に配置させ、前記４方向の文字露光部をカメラの撮影時に、カメラの傾斜方向によって１方向の文字露光部のみを選択書き込みをする特開平７−１３２５４号公報の方法は、４種の文字露光部があるためカメラを大型化してしまう。また、４種の文字露光部のうちどの露光部で選択露光するかを決めるカメラの傾斜方位の検出信号回路も４個のインバータを使い、出力回路および出力部もそれぞれ４個あり煩雑である。
【０００５】
また、写真画像に写し込まれた文字も、写真背景との関係などからくっきりと見えない場合が多い。そこで、本発明の目的は、日付などの時や地名などの場所の情報を文字画像として被写体に対して正常な方向で、くっきりと付加プリントするコンパクトなカメラ機器用傾斜センサーを提供することにある。そして、このようなコンパクトなカメラの実現を可能にするため、簡易な構成の傾斜センサーを提供することにある。
【課題を解決するための手段】
【０００６】
本発明の傾斜センサーは、個々に絶縁されている複数の導電部を有する区分導電筐体と共通導電筐体と複数の抵抗体とを備え、複数の導電部と共通導電筐体とが向き合うように、共通導電筐体と前記区分導電筐体を配置し、共通導電筐体と区分導電筐体との間の空間に、可動な可動導電体を配置し、共通導電筐体には、複数の抵抗体のうち、一つの抵抗体を介して第１の電圧を印加する手段と、出力電圧が出力される出力部とを有し、区分導電筐体におけるそれぞれの導電部は、全く電圧が印加されない形態、複数の抵抗体のうち、少なくとも一つの抵抗体を介して第２の電圧が印加される形態、または第２の電圧値が直接印加される形態のいずれかの形態を有し、可動導電体が、複数の導電部と共通導電筐体との間を各々に接しながら移動して、複数の導電部のうち、いずれか一つの導電部と共通導電筐体とを電気的に接続し、接続された区分導電筐体における導電部の形態に対応して出力部より異なる電圧値が出力されることを特徴とする。
【０００７】
また、可動導電体は球状の導電球であることを特徴とし、さらに導電球は複数個で構成
されていてもよい。あるいは導電球が共通導電筐体および区分導電筐体に接する部位は重力方向に対して導電球の下半球であることを特徴とする。また、複数の抵抗体に流れる電流は何れも１ｍA以下であることを特徴とする。
【０００８】
また共通導電筐体は電気的に直接接続する１本のリード端子を備え、区分導電筐体における複数の導電部は、各々電気的に直接接続するリード端子を備え、全てのリード端子が略同一平面上に接地することを特徴とする。あるいは区分導電筐体は、導電部が配置された面と反対側の面に導電部へ電圧を印加するための外側電極を複数備え、外側電極と導電部とは電気的に接続されていることを特徴とする。その外側電極と導電部とは、区分導電筐体に形成されたスルーホールによって電気的に接続されていることを特徴とする。可動導電体と、共通導電筐体と、導電部の表面とのいずれかが金メッキ処理されていることを特徴とする。
【０００９】
また、本発明はこれらの傾斜センサーを用いたカメラであることを特徴とする。
【発明の効果】
【００１０】
上記記載の本発明の傾斜センサーは出力部が１ヶ所のみであり、そこから傾斜の度合いに応じて異なる電圧が出ることを特徴としており、構成がいたって簡素である。よって、傾斜センサー自体の小型化、低コスト化が可能である。この傾斜センサーをカメラ機器に採用することによって、カメラ機器自体の小型化が可能となり、さらにカメラの縦、横方向のいずれの撮影においても、日付などの文字が被写体に対して正常な方向に、くっきりとプリントすることができる。
【発明を実施するための最良の形態】
【００１１】
以下に本発明の形態を詳述する。本発明のカメラ機器用傾斜センサーを用いたカメラ機器の機能を図２に基づいて説明する。本発明を用いたカメラはプリント機能を備えたインスタントカメラ１１で、縦方向プリントの場合は縦長のファインダー１３の中に見える被写体に向けてシャッターボタン１２を押すとインスタント画像１４が、重力方向の向きに縦方向プリントされる。このインスタント画像１４は、被写体に対して、日付文字「２００５．７．１」がインスタント画像１４の短辺に対して、平行方向に付加しプリントされ、被写体と文字の関係が違和感のない写真画像プリントとなる。
【００１２】
一方、インスタントカメラ１１を、重力方向に対して９０度傾けて、シャッターボタンを押す横方向プリントの場合は、インスタント画像１５は重力方向に対して垂直方向の向きに横方向プリントされ、日付文字と場所文字「２００５．７．１    Ｔｏｋｙｏ」がインスタント画像１５の長辺に対して、平行な向きに付加プリントされ、やはり、被写体と文字の関係が違和感のない写真画像プリントとなる。
【００１３】
図３は、本発明のインスタントカメラの構成を示す模式図である。カメラの本体には、６４０×４８０画素を有するシチズンミヨタ社製のＣＭＯＳカラーイメージセンサーを用いたＶＧＡカメラモジュール５１が備えられ、２次元の画像信号を展開し、１次元ずつのＲＧＢデータ信号に変換する回路基板（図示せず）に電気的接続がなされている。また、本体の内部には、インスタントカメラの向きを重力方向領域と重力方向に対して垂直方向となる垂直方向領域に区分検知する傾斜センサー５５を備え、電気的に前述の回路基板に接続され、画像上に配置する文字位置と方向を定める。
【００１４】
図３に図示するように、露光ヘッド５２が１次元ずつのＲＧＢ信号によって、１ラインずつＲＧＢの光を順次連続して照射し、画像を形成する。１０枚のインスタントフィルムが充填されたフィルムパック５３からメカ機構（図示せず）により定速で１枚ずつ排出移動するインスタントフィルム５４に２次元のフルカラー画像を、被写体に対して文字が正
常に読める状態でプリントすることができる。
【００１５】
図４は前述の露光ヘッドの内部構成を示した模式図であり、露光ヘッドはＲＧＢのＬＥＤチップ点光源からの光をライン光に変換するアクリルロッド６２と、各ＲＧＢ光の順次点灯に同期してミリ秒単位で光の透過、非透過を高速選択するＳＴＮ（スーパーツイステッドネマチック）型の液晶シャッターアレイ６３と、液晶シャッターアレイの各画素から透過した光をインスタントフィルム６１に結像させるためのレンズアレイ６４とで構成され、ＶＧＡの文字付きフルカラー写真画像を６秒でプリントできた。また、フィルム移送時間や信号処理時間等も含め、シャッタを押してからインスタント画像が排出されるまでの時間も１２秒程であった。
【００１６】
図５は、本発明に関わる写真システムをインスタントカメラに用いた場合のフローチャート図である。シャッターボタンを押して、撮像素子によりカメラ撮影すると、「被写体画像データ」をデジタルデータとして被写体画像データ記憶手段４１に記憶する。傾斜センサーにより得られた「カメラ傾斜方向データ」もカメラ傾斜方向データ記憶手段４２に記憶する。日付や場所などの「文字データ」はカメラ機器内の文字データ記憶手段４３で別途記憶されており、この記憶された「カメラ傾斜方向データ」に基づいて、「文字データ」を書き換え手段４４により記憶されている「被写体画像データ」の一部の書き加えを行い、新たに「被写体画像合成データ」を作成し、被写体画像合成データ記憶手段４５に記憶させる。すなわち、カメラの傾斜方向が縦と認識されたときは、被写体画像データの１画面における短辺方向に沿った位置に、文字データを書き加えて、デジタルデータを書き換え、新たな１画面の被写体画像合成データを作成する。また、カメラの傾斜方向の横と認識されたときには被写体画像データの１画面における長辺方向に沿った位置に、文字データを書き加えて、デジタルデータを書き換え、新たな１画面の被写体画像合成データを作成する。このように、傾斜データに基づいて、１画面分の被写体画像データの書き換える位置が選択される。
【００１７】
さらに書き換えられた被写体画像合成データを露光ヘッドに転送しながら、相対的に移動するインスタントフィルム上に書き込みすることにより、くっきりとした「文字入り写真画像プリント」４６が、インスタントカメラから排出される。
【００１８】
図５ではインスタントカメラに撮像素子と傾斜センサーを備え、それらから得られた被写体画像データとカメラ傾斜方向データを記憶する手段もインスタントカメラ本体に備えていたが、撮像素子と傾斜センサーとをカメラ本体に備えていなくてもよい。例えば小型のプリンター機器に被写体画像データとカメラ傾斜方向データと文字データとを記憶する手段を備え、被写体画像合成データをこれらデータにより作成し、文字入り画像プリントを出力するようにしてもよいし、記憶回路を有する記録装置にこれらデータを記憶させ、プリンターにデータを送付することによって、文字入り画像プリントを出力させるようにしてもよい。
【実施例１】
【００１９】
次に、前述したインスタントカメラに用いられた本発明の傾斜センサーについて実施例として詳述する。図１は本発明のカメラ機器用傾斜センサーの＜組立斜視図＞および＜断面図＞である。この図において、本発明の傾斜センサーは共通導電筐体と区分導電筐体で構成されている。この区分導電筐体は、個々に絶縁されている複数の導電部を有している。共通導電筐体２３と区分導電筐体２４における複数の導電部はそれぞれ厚みのある導電材よりなり、それぞれ向き合って構成されている。ちょうど共通導電筐体２３と区分導電筐体２４との間は、中央部がくり抜かれた状態で空間があり、そこに可動な可動導電体、ここでは球状の導電球２５が配置されている。
【００２０】
本実施例では、抵抗体を３個備えている。表面が金メッキ処理された金属製の共通導電筐体２３は１０ＫΩの３個のうちの一つである抵抗体２２を介して第１の電圧である０Ｖに接続する手段を有する。さらに、傾斜センサーから複数の電圧値が出力される出力部２１に直接接続されている。他方、区分導電筐体２４は、電気的に分離された４個の金メッキ処理された金属製の導電部２６である導電片から構成されている。これら４個のうち、１個の導電片は５Ｖの第２の電圧Ｖｄｄに直接接続されている形態をとり、他の１個の導電片は１０ＫΩの抵抗体を介して電圧Ｖｄｄに接続される形態をとり、他の１個の導電片は、１０ＫΩの抵抗体２個を介して接続される形態をとり、残りの１個の導電片は電圧値が全く印加されていない形態となっている。
【００２１】
導電球２５は直径１．２ｍｍ径の金メッキ処理された球状であり、共通導電筐体と区分導電筐体で構成される傾斜センサーの外形は約５ｍｍ角であり小型化が可能である。導電球２５がくり抜かれた２つの筐体の間を重力方向に沿って自由に移動すると、重力方向に対して導電球の下半球の表面と２つの導電筐体が電気的接続し、接続した区分導電筐体における導電部の形態に対応して、出力部２１からは０Ｖ、１．６６Ｖ、２．５Ｖ、５Ｖのいずれかの複数電圧が出力される。つまり、このような傾斜センサーをカメラに備えることによって、出力部２１から出力される電圧値によって、カメラがどのような位置にあるかを知ることができる。
【００２２】
図６は、本発明の傾斜センサーの＜上面斜視図＞と＜下面斜視図＞であり、図１の構成において、電極接続部を明確にした図である。共通導電筐体３１と区分導電筐体３４とを電気的に接続させる導電球３２、さらに、カメラ機器の回路基板に実装接続するためのリード端子３３から構成されている。４本のリード端子３３のうち３本は接合部３５を介して、４個の区分導電筐体３４における導電片のうち、３個の導電片に電気的に接続している。残り１本のリード端子は接合部を介して共通導電筐体３１に接続している。
【００２３】
上記４本のリード端子は同一平面上のカメラ機器用のガラエポ回路基板（図示せず）にクリームハンダを介してリフロー実装される。４本のリード端子は、ガラエポ基板上に実装された１０ＫΩの３個のチップ抵抗体３６、第１の電圧である０Ｖと第２の電圧であるＶｄｄ（５Ｖ）の電源ライン、およびセンサー信号電圧の出力部３７とガラエポ基板上の銅配線パターンにより、コンパクトに電気的接続がなされている。カメラの傾斜方向によって出力部３７には、０Ｖ、１．６６Ｖ、２．５Ｖ、５Ｖのいずれかの複数のとびとびの電圧値が出力されるが、この際、抵抗体に流れる電流は高々、０．５ｍＡであり、インスタントカメラの消電も小さく、カメラの傾斜方向の区分検知も問題なく可能であった。特に抵抗体に流れる電流は１ｍＡ以下とするのが好ましい。また、リード端子の共通導電筐体よりはみ出す大きさは高々２ｍｍ程度であり、傾斜センサー全体の大きさは小型でインスタントカメラの外形拡大に無視できるレベルであった。
【００２４】
上記出力部からカメラ機器の傾斜方向に応じて出力されるとびとびの電圧値、０Ｖ、１．６６Ｖ、２．５Ｖ、５Ｖはカメラ機器内のガラエポ基板上に搭載されているワンチップマイコンによりＡ／Ｄ変換処理された後、デジタル的に被写体画像が演算処理され、日付や場所、コメントなどの文字が被写体に対して正常な方向に撮ったその場でクリアーにプリントされる。また、レンズ光学系や光路長を必須とするため大型化が避けられない、いままでのインスタントカメラに比べ非常に薄型でコンパクトなインスタントカメラを得ることができた。さらに、付加文字の位置、明るさ、色を自由に変更すれば、被写体の背景に合わせて、より見やすい文字にすることも可能である。なお、本実施例に拘らず、本発明の傾斜センサーは通常のデジタルカメラ、カメラ付き携帯電話などあらゆるカメラ機器に用いることが可能である。
【実施例２】
【００２５】
本発明のカメラ機器に用いた傾斜センサーの別の実施形態について図面を用いて説明する。図７は本発明のカメラ機器用傾斜センサーの＜組立斜視図＞および＜断面図＞である。実施例１の構成とは、２個の導電球７５が配置されている点で異なっている。
【００２６】
表面が金メッキ処理された金属製の共通導電筐体７３、１０KΩの抵抗体７２、傾斜センサーから複数の電圧値を出力される出力部７１、および区分導電筐体７４は、実施例１と同様に接続されている。また、実施例１と同様に共通導電筐体と区分導電筐体で構成される傾斜センサーの外形は５ｍｍ角である。
【００２７】
２個の導電球７５は直径１．２ｍｍ径の金メッキされた球状であり、このように導電球７５が２個あるため、２つの導電筐体間における電気的接続の安定性がより強化され、接続不良による誤出力が激減する。
【実施例３】
【００２８】
本発明のカメラ機器に用いた傾斜センサーの別の実施例について説明する。図８は傾斜センサーの内部を共通導電筐体側から透視した状態の平面図である。図９は図８の裏面における平面図である。図１０は図８のＡ−Ａ´において、Ａを上方、Ａ´を下方にした断面図であり、図１１は図８のＢ−Ｂ´において、Ｂ´を上方、Ｂを下方にした断面図である。本実施例が実施例１と異なるのは、区分導電筐体の内側に金属薄膜を設け、外側に外側電極を設け、金属薄膜と外側電極をスルーホールで接続し、電圧印加を容易にした点が異なる。これらの図面を用いて本実施例を説明する。
【００２９】
複数の導電領域が独立して配置される区分導電筐体２４は、ガラエポ基板の両面に配置され、個々に絶縁されている導電部である４つの金属薄膜８４と、金属薄膜８４を電気的に接続し、金属薄膜８４ごとに設けられたスルーホール８５によって構成され、重力方向に対して可動な導電球３２によって、対面する共通導電筐体２３と電気的に接続する。
【００３０】
実施例１と同様に区分導電筐体２４は、図８および図９に図示するように、電気的に分離された導電部である４個の金メッキ処理された金属製の金属薄膜８４を備えている。また、区分導電筐体２４に配置された複数の金属薄膜８４のうち、図１１に図示するように、出力部と共に１０ＫΩの抵抗体２２および第１の電圧である０Ｖに接続されている１個の金属薄膜８４は、共通導電筐体２３と電気的に接続されている。図８に示す斜線部は区分導電筐体と共通導電筐体とが接する領域の接触部８０である。
【００３１】
実施例１と同様に、図９および図１０に図示するように、区分導電筐体２４におけるこれら４個の金属薄膜８４のうち、１個の金属薄膜は５Ｖの第２の電圧Ｖｄｄに直接接続されている形態をとり、他の１個の金属薄膜は、１０ＫΩの抵抗体２個を介して接続される形態をとり、図９および図１１に図示するように、他の１個の金属薄膜は１０ＫΩの抵抗体を介して電圧Ｖｄｄに接続される形態をとり、残りの１個の金属薄膜は、上述したように電圧値が全く印加されていない形態となっており、かつ電圧値が出力される出力部に直接接続されている。
【００３２】
区分導電筐体２４の内側には導電球３２と接触する導電部である金属薄膜８４が配置され、導電部が配置されたこの面と反対側の面である区分導電筐体の外側には、金属薄膜に電圧を印加するため、外側電極８１を設けている。この外側電極８１は金属薄膜に対応して４個設けられており、それぞれの外側電極と金属薄膜は電気的に接続されている。電気的に接続するために、区分導電筐体の本体には接続用のスルーホール８５が設けられている。スルーホールのほかに、導電ピンなどを用いて、区分導電筐体の両側を電気的に接続しても構わない。外側電極より金属薄膜８４に対して電圧が印加される。このように区分導電筐体の外側に配置した外側電極をクリームハンダでカメラ機器の基板上にリフロー実
装する。なお、導電球、金属薄膜、共通導電筐体はすべて金メッキされ、電気的接続の向上を計った。
【００３３】
このように製造された上述の傾斜センサーは、導電球の直径が１．２ｍｍ、区分導電筐体の大きさは縦横厚さが４ｍｍ×４ｍｍ×０．５ｍｍ、共通導電筐体の大きさは４ｍｍ×４ｍｍ×２ｍｍで構成されており、傾斜センサーそのものの大きさも４ｍｍ×４ｍｍ×２．５ｍｍと非常にコンパクトなものになった。
【実施例４】
【００３４】
本発明における傾斜センサーの別の実施例について説明する。図１２は傾斜センサーの分解斜視図、図１３は内部を共通導電筐体側から透視した状態の平面図である。図１４は図１３のＣ−Ｃ´において、Ｃ´を上方、Ｃを下方にした断面図、図１５は図１３のＤ−Ｄ´において、Ｄ´を上方、Ｄを下方にした断面図である。図１６は共通導電筐体の平面図である。本実施例が実施例３と異なるのは、共通導電筐体の突起ピンで区分導電筐体に共通導電筐体を固定し、さらに、これら突起ピンが区分導電筐体の金属薄膜と外側電極との導通をとる手段として用いる点である。これらの図面を用いて本実施例を説明する。
【００３５】
図１２に図示した傾斜センサー本体は、中央内部がくり抜かれた状態になっており、四隅に突起ピン１０２が存在する形状の共通導電筐体２３と、重力方向によって自在に移動可能な導電球３２と、区分導電筐体２４とで構成されている。図１４に図示されているように、区分導電筐体２４にはガラエポ基板の両面に導電部である金属薄膜８４および外側電極８１がパターニング形成され、適宜スルーホール８５によって両面に配置された金属薄膜８４と外側電極８１とが電気的に接続している。
【００３６】
また、図１５に図示するように、共通導電筐体２３の四隅の突起ピン１０２は区分導電筐体２４のスルーホール８５に挿入され、共通導電筐体２３と区分導電筐体２４の裏面に設けられた外側電極８１とが、突起ピン１０２を介して電気的に接続される。なお、区分導電筐体２４のガラエポ基板は、本明細書中のすべての実施例に拘らずカメラ機器のマザーボード基板を兼ねてもよい。この場合、傾斜センサーの高さが共通導電筐体２３の高さにほぼ等しい２ｍｍとなり、更なる薄型化と部品点数の省略が可能となる。
【００３７】
図１６は、共通導電筐体２３の平面図であり、共通導電筐体２３は、中央部が凹状のくりぬき部１１７を備えている。本発明の傾斜センサーは導電球３２が接触する金属薄膜８４の位置によって、出力値が異なるが、導電球３２と金属薄膜８４との導通を安定して得るために、共通導電筐体２３における導電球と接する面を接触平面１１８として平面にしている。このように接触面を平面とすることで、導電球３２と共通導電筐体２３は、ほぼ点接触となり、傾斜センサーの接続安定性をより増加させる。鉄球を金メッキした導電球のサイズが、２ｍｍ以下の場合、特に有効であった。
【００３８】
また、図１４に図示するように、接触平面１１８は区分導電筐体２４に対して、垂直方向より斜めに配置されている。このように導電球に接する壁面である接触平面１１８の角度は自由に設定することが可能である。このように、壁面の角度を区分導電筐体に対して３０度傾けて設計した場合、傾斜センサー本体を水平方向に約２０度近くまで傾けても縦と横の認識が可能であった。よって、接触平面１１８の区分導電筐体に対する設置角度を任意に設定することにより、水平方向の傾きでの縦方向、横方向の感度を向上することができる。また本実施例では、壁面が平面であったが、曲面であっても同様な効果が得られる。
【実施例５】
【００３９】
次にカメラ機器に用いた傾斜センサーの信号処理について図面を用いて説明する。図１
７は本発明の＜傾斜センサーの信号処理のフローチャート図＞である。傾斜センサーの出力部からは実施例で示したように、０Ｖ、１．６６Ｖ、２．５Ｖ、５．０Ｖのいずれかのとびとびのアナログ電圧値出力９１が出力するが、これら電圧値をＡ／Ｄ変換器９２に入れ、デジタルデータに変換する。０Ｖ→Ｇ、１．６６Ｖ→Ａ、２．５Ｖ→Ｂ、５．０Ｖ→Ｃとデジタル的に符号化し、ＭＰＵ９４(マイクロプロセッサーユニット)にデジタル出力９３として、絶え間なく入力させる。
【００４０】
ＭＰＵ９４内では、０．５秒毎に８回のサンプリングを行い、その結果を基にサンプリング後の０．５秒間における傾斜センサーの出力状態を判定する。GGGGGGGGとGしかサンプリング出来ない時は次の０．５秒間はGと判定し、GAGGGAAAとGとAの２値がサンプリングされた時は、傾斜センサー内の導電球と筐体の電気接続においてチャッタリングが生じ、導電球が所定の位置にあるにもかかわらず電気的接続を果たしていないと判断し、Gを排除しAと判定する。同様にGとBの２値がサンプリングされた場合、GとCの２値がサンプリングされた場合もそれぞれGを排除し、BまたはCと判定する。なお、サンプリングを行っているサンプリング期間において、チャタリングを起こさないときは、サンプリング期間前の判定を維持する。
【００４１】
さらに、CCBACCGCとG、A、B、Cの４値すべてがサンプリングされた時は、カメラ機器の傾斜が変動している場合と判断し、Gを排除した残りのABC３値の内最も頻度の高いCと判定した。また、Gを含む複数値が出た場合、Gの排除の程度は上述したように完全に排除する場合以外にも、GGGAGGGG→Gと判定し、GGGAAGGG→Aと判定するような重みづけする方法も採用することができる。
【００４２】
なお、図１７においては、Ａ／Ｄ変換器９２とＭＰＵ９４は別個になっているが、ＭＰＵの中に既にＡ／Ｄ変換器の入った、例えば、マイクロチップス社製の型番PIC18F2620のＭＰＵもあり、回路構成上、小型化、実装の簡略化に有利である。
【００４３】
以上述べてきたように、本発明のカメラ機器用傾斜センサーを用いることにより、カメラの縦、横方向などのいずれの撮影においても、日付けや場所、コメントなどの文字が被写体に対して正常な方向に撮ったその場でクリアーにプリントされる。
【図面の簡単な説明】
【００４４】
【図１】本発明の傾斜センサーの構成を示す模式図である。
【図２】本発のカメラ機器用傾斜センサーを用いたインスタントカメラ機器の機能を示す模式図である。
【図３】本発明の傾斜センサーを用いたインスタントカメラ機器の構成を示す模式図である。
【図４】インスタントカメラ機器内の露光ヘッドの構成を示す模式図である。
【図５】本発明の傾斜センサーを用いたインスタントカメラ機器の動作を示すフローチャート図である。
【図６】本発明の傾斜センサーの構成を示す別の模式図である。
【図７】本発明の傾斜センサーの構成を示す別の模式図である。
【図８】本発明の傾斜センサーの構成を示す模式平面図である。
【図９】本発明の傾斜センサーの構成を示す模式平面図である。
【図１０】本発明の傾斜センサーの構成を示す模式断面図である。
【図１１】本発明の傾斜センサーの構成を示す模式断面図である。
【図１２】本発明の傾斜センサーの構成を示す別の模式図である。
【図１３】本発明の傾斜センサーの構成を示す模式平面図である。
【図１４】本発明の傾斜センサーの構成を示す模式断面図である。
【図１５】本発明の傾斜センサーの構成を示す模式断面図である。
【図１６】本発明の傾斜センサーの構成を示す模式平面図である。
【図１７】本発明の傾斜センサーの信号処理のフローチャート図である。
【符号の説明】
【００４５】
１１  インスタントカメラ
１２  シャッターボタン
１３  ファインダー
１４，１５  インスタント画像
２１  出力部
２２  抵抗体
２３  共通導電筐体
２４  区分導電筐体
２５，３２，７５  導電球
２６  導電部
３１，７３  共通導電筐体
３３  リード端子
３４，７４  区分導電筐体
３５  接合部
３６，７２  抵抗体
３７，７１  出力部
５１  カメラモジュール
５２  露光ヘッド
５３  フィルムパック
５４，６１  インスタントフィルム
５５  傾斜センサー
６２  アクリルロッド
６３  液晶シャッターアレイ
８０  接触部
８１  外側電極
８４  金属薄膜
８５  スルーホール
９１  アナログ電圧値出力
９２  Ａ／Ｄ変換器
９３  デジタル出力
９４  ＭＰＵ
１０２  突起ピン
１１７  くりぬき部
１１８  接触平面
【図１】
2008076376.tif 000003
【図２】
2008076376.tif 000004
【図３】
2008076376.tif 000005
【図４】
2008076376.tif 000006
【図５】
2008076376.tif 000007
【図６】
2008076376.tif 000008
【図７】
2008076376.tif 000009
【図８】
2008076376.tif 000010
【図９】
2008076376.tif 000011
【図１０】
2008076376.tif 000012
【図１１】
2008076376.tif 000013
【図１２】
2008076376.tif 000014
【図１３】
2008076376.tif 000015
【図１４】
2008076376.tif 000016
【図１５】
2008076376.tif 000017
【図１６】
2008076376.tif 000018
【図１７】
2008076376.tif 000019